(57)【要約】      （修正有）【課題】投影装置の故障を適切に診断し、投影ランプの誤った故障の通知を防止する。【解決手段】投影装置の故障は投影ランプの点火装置の回路の不適切な動作を感知することによって診断される。ランプ点火装置の回路の動作における測定された電圧の大きさに基づいて、ランプ点火装置の故障を指示するインジケータが付勢される。【選択図】図３
2006058880.tif 000002
【特許請求の範囲】
【請求項１】
投影装置のランプ点火装置回路の故障を感知する方法において、
前記ランプ点火装置回路の動作を感知し、
前記ランプ点火装置回路の動作において感知された故障に基づいて点火装置の故障の指示を与えるステップを含んでいる方法。
【請求項２】
前記ランプ点火装置回路の動作を感知するステップは、前記ランプ点火装置回路により前記投影装置の投影ランプに与えられるランプ点火装置電圧を測定するステップを含んでおり、前記点火装置の故障の指示を与えるステップは、前記測定されたランプ点火装置の電圧の大きさに基づいて点火装置の故障インジケータを付勢するステップを含んでいる請求項１記載の方法。
【請求項３】
さらに前記測定されたランプ点火装置の電圧の大きさを特定された電圧の大きさと比較し、前記測定された電圧の大きさが前記特定された電圧の大きさよりも小さい場合には、前記点火装置の故障インジケータを付勢するステップを含んでいる請求項２記載の方法。
【請求項４】
さらに、前記投影ランプの点火を試み、
前記投影ランプが点火されたか否かを感知し、
前記投影ランプが点火に失敗した場合にはランプ故障インジケータを付勢するステップを含んでいる請求項２記載の方法。
【請求項５】
前記ランプ点火装置回路の動作を感知するステップは前記ランプ故障インジケータの付勢ステップ後に行われる請求項４記載の方法。
【請求項６】
さらに、前記ランプ点火装置回路を前記ランプ点火装置回路の前記動作の感知された故障に基づいて停止させるステップを含んでいる請求項１記載の方法。
【請求項７】
前記投影装置は情報処理システムから受信された信号に基づいて情報を表示するように構成されている請求項１記載の方法。
【請求項８】
投影装置のランプ点火装置回路の故障を感知するシステムにおいて、
前記ランプ点火装置回路の動作を感知するように構成された点火装置検出回路と、
前記点火装置検出回路に結合された点火装置故障インジケータとを具備しているシステム。
【請求項９】
前記点火装置検出回路は前記ランプ点火装置回路により前記投影装置の投影ランプに与えられるランプ点火装置電圧を測定することによって前記ランプ点火装置回路の動作を感知し、前記測定されたランプ点火装置電圧の大きさに基づいて前記点火装置の故障インジケータを付勢するように構成されている請求項８記載のシステム。
【請求項１０】
前記点火装置検出回路は前記測定されたランプ点火装置の電圧の大きさを特定された電圧の大きさと比較し、前記測定された電圧の大きさが前記特定された電圧の大きさよりも小さい場合には、前記点火装置故障インジケータを付勢するように構成されている請求項９記載のシステム。
【請求項１１】
前記点火装置の故障インジケータは点火装置の故障インジケータ灯を具備している請求項１０記載のシステム。
【請求項１２】
さらに、前記投影ランプが点火されたか否かを感知するように構成されているランプ点火検出回路と、
前記ランプ点火検出回路に結合されたランプ故障インジケータとを具備している請求項９記載のシステム。
【請求項１３】
前記点火装置検出回路は前記ランプ故障インジケータが付勢された後、前記ランプ点火装置回路の動作を感知するように構成されている請求項１２記載のシステム。
【請求項１４】
さらに、前記点火装置検出回路と前記ランプ点火装置回路とに結合されている点火装置停止回路を具備し、前記点火装置停止回路は前記ランプ点火装置回路の前記動作において感知された故障に基づいて前記ランプ点火装置回路を停止させるように構成されている請求項８記載のシステム。
【請求項１５】
前記投影装置は情報処理システムから受信された信号に基づいてイメージを表示するように構成されている請求項８記載のシステム。
【請求項１６】
投影ランプと、
前記投影ランプに結合されているランプ点火装置回路と、
前記ランプ点火回路の動作を感知するように構成されている点火装置検出回路と、
前記点火装置検出回路に結合されている点火装置故障インジケータとを具備している投影装置。
【請求項１７】
前記点火装置検出回路は前記ランプ点火装置回路により前記投影装置の前記投影ランプに与えられるランプ点火装置電圧を測定することにより前記ランプ点火装置回路の動作を感知し、前記測定されたランプ点火装置電圧の大きさに基づいて前記点火装置故障インジケータを付勢するように構成されている請求項１６記載の装置。
【請求項１８】
前記点火装置検出回路は前記測定されたランプ点火装置の電圧の大きさを特定された電圧の大きさと比較し、前記測定された電圧の大きさが前記特定された電圧の大きさよりも小さい場合には、前記点火装置故障インジケータを付勢するように構成されている請求項１７記載の投影装置。
【請求項１９】
前記点火装置故障インジケータは点火装置故障インジケータ灯を具備している請求項１８記載の投影装置。
【請求項２０】
さらに、前記投影ランプが点火されたか否かを感知するように構成されているランプ点火検出回路と、
前記ランプ点火検出回路に結合されているランプ故障インジケータとを具備している請求項１７記載の投影装置。
【請求項２１】
さらに、前記点火装置検出回路と前記ランプ点火装置回路とに結合されている点火装置停止回路を具備し、前記点火装置停止回路は前記ランプ点火装置回路の前記動作において感知された故障に基づいて前記ランプ点火装置回路を停止するように構成されている請求項１６記載の投影装置。
【請求項２２】
前記点火装置検出回路は前記ランプ故障インジケータが付勢された後、前記ランプ点火装置回路の動作を感知するように構成されている請求項２０記載の投影装置。
【請求項２３】
前記投影装置は情報処理システムから受信された信号に基づいて情報を表示するように構成されている請求項１６記載の投影装置。
【発明の詳細な説明】
【技術分野】
【０００１】
本発明は一般的に投影装置に関し、特に投影装置の故障を診断する方法およびシステムに関する。
【背景技術】
【０００２】
本出願は2004年８月13日出願の米国特許出願第60/601,310号明細書について優先権を主張しており、その全体がここで参考文献とされている。
【０００３】
投影装置は壁または他の適切な観察表面上にイメージを表示するために投影ランプを使用するプロジェクタを含んでいる。このようなプロジェクタはＰＣ、テレビジョン、ビデオ標準方式と両立可能なアナログおよびデジタル接続により与えられるイメージを表示するように構成されることができる。プロジェクタにはランプセンサが設けられることができ、そのランプセンサはランプ電流を監視し、付勢されるときに投影ランプが点火に失敗したならば（例えば４回の点火を試みた後）、ランプ故障灯をトリガーする。プロジェクタの他のパワーインジケータが照明され、プロジェクタのファンが動作中であるとき、点灯されたランプ故障灯はプロジェックタランプが故障しており交換の必要があることをユーザに指示する。交換ランプはその後、ユーザにより注文されてもよく、例えば保証期間内であるときには製造業者によってユーザへ輸送されてもよい。ランプがその寿命に達するときをユーザに通知する寿命インジケータもプロジェクタに設けられることができる。
【発明の開示】
【発明が解決しようとする課題】
【０００４】
投影ランプの故障灯は、故障した投影ランプと故障した点火装置の回路とを弁別しない。したがって点火回路の故障はユーザにはランプの故障として観察され、誤って、新しい交換ランプを購入して設置することによりプロジェクタの動作を回復しようとする可能性がある。プロジェクタ製品は保証期間にあるので、新しい投影ランプはユーザへ輸送され、故障した点火装置回路を有するプロジェクタの動作を回復しようとする無駄な行為が行われる可能性がある。
【課題を解決するための手段】
【０００５】
投影ランプの点火装置回路の不適切な動作を感知し、その指示を与えることによって、投影装置の故障を診断し、投影ランプの故障の誤った通知を阻止する方法およびシステムがここで開示されている。このような不正確なランプ故障の通知は、投影ランプの欠陥または消耗ではなく点火回路（バラスト回路）の故障によりランプ故障灯が付勢されるときに行われる。１実施形態では、開示された方法およびシステムは投影ランプへの点火電圧の感知によって投影ランプへの入力を監視する別々のインジケータ回路を使用して実行されることができる。点火電圧が特定された値よりも低いならば、点火装置の故障インジケータはインジケータ回路、例えば発光ダイオード（“ＬＥＤ”）インジケータ灯をオンに切換え、オンの状態を維持することにより付勢されることができる。
【０００６】
１実施形態では、プロジェクタにはその故障の適切な診断を容易にするため、ランプの故障と点火装置の故障との両者のインジケータシステムが取付けられることができる。投影ランプのみの故障の場合（即ち点火回路は適切に機能している）、ランプ故障インジケータ（例えば第１のＬＥＤ灯）が付勢され、一方、点火装置の故障インジケータ（例えば第２のＬＥＤ灯）はオフの状態のままである。ランプ故障インジケータのみの付勢は、投影ランプが故障に遭い、交換が必要であることを容易に識別可能にする。しかしながら、点火装置回路が投影ランプの点火に対して不十分な電圧を供給する（または電圧を供給しない）場合、点火装置故障インジケータとランプ故障インジケータの両者が付勢される。ランプ故障インジケータと点火装置故障インジケータの両者が付勢されたことはプロジェクタの故障が点火装置回路の電子装置の故障によるものであり、プロジェクタが修理される必要があることを指示している。この点火装置回路の故障の指示を利用することにより、投影ランプを交換する不適切な動作に関する無駄な時間と労力が回避される。
【０００７】
したがって、ここで開示される１つの特徴は投影装置中のランプ点火装置回路の故障を感知する方法であり、ランプ点火装置回路の動作を感知し、前記ランプ点火装置回路の前記動作における感知された故障に基づいて点火装置の故障の指示を与えるステップを含んでいる。ランプ点火装置回路の動作を感知するステップはランプ点火装置回路により投影装置の投影ランプに与えられるランプ点火装置電圧の測定を含んでおり、その方法は測定されたランプ点火装置の電圧の大きさに基づいて点火装置の故障インジケータを付勢するステップを含んでいる。この方法はさらに測定されたランプ点火装置の電圧の大きさを特定された電圧の大きさと比較し、測定された電圧の大きさが特定された電圧の大きさよりも小さいならば、点火装置の故障インジケータを付勢するステップを含んでいる。この方法はさらに投影ランプの点火を試み、投影ランプが点火されたか否かを感知し、投影ランプが点火に失敗したならばランプ故障インジケータを付勢するステップを含むことができる。この方法の１実施形態では、点火装置故障インジケータはランプ故障インジケータが付勢された場合にのみ付勢されることができる。別の実施形態では、ランプ点火装置回路の感知動作ステップはランプ故障インジケータの付勢のステップ後に行われることができる。この方法は情報処理システムから受信された信号に基づいて情報を表示するように構成されている投影装置で実行されることができる。
【０００８】
別の特徴では、投影装置のランプ点火装置回路の故障を感知するシステムがここで開示され、それはランプ点火装置回路の動作を感知するように構成された点火装置検出回路と、この点火装置検出回路に結合された点火装置故障インジケータとを含んでいる。１実施形態では、点火装置検出回路はランプ点火装置回路により投影装置の投影ランプに与えられるランプ点火装置電圧を測定することによりランプ点火装置回路の動作を感知し、測定されたランプ点火装置電圧の大きさに基づいて点火装置の故障インジケータを付勢するように構成されることができる。これに関連して、点火装置検出回路は測定されたランプ点火装置の電圧の大きさを特定された電圧の大きさと比較し、測定された電圧の大きさが特定された電圧の大きさよりも小さいならば、点火装置故障インジケータを付勢するように構成されることができる。１実施形態では、システムはさらに、投影ランプが点火されたか否かを感知するように構成されているランプ点火検出回路と、ランプ点火検出回路に結合されたランプ故障インジケータとを含むことができる。１実施形態では、点火装置検出回路はランプ故障インジケータが付勢される場合に、点火装置故障インジケータのみを付勢するように構成されることができる。別の実施形態では、点火装置検出回路はランプ故障インジケータが付勢された後、ランプ点火装置回路の動作を感知するように構成されることができる。システムは情報処理システムから受信された信号に基づいて情報を表示するように構成された投影装置で実行されることができる。
【０００９】
別の特徴では、投影ランプと、投影ランプに結合されたランプ点火装置回路と、ランプ点火装置回路の動作を感知するように構成された点火装置検出回路と、点火装置検出回路に結合された点火装置故障インジケータとを含んでいる投影装置がここで開示されている。１実施形態では、点火装置検出回路はランプ点火装置回路により投影装置の投影ランプに与えられるランプ点火装置電圧を測定することによりランプ点火装置回路の動作を感知し、測定されたランプ点火装置電圧の大きさに基づいて点火装置の故障インジケータを付勢するように構成されることができる。これに関連して、点火装置検出回路は測定されたランプ点火装置の電圧の大きさを特定された電圧の大きさと比較し、測定された電圧の大きさが特定された電圧の大きさよりも小さいならば、点火装置故障インジケータを付勢するように構成されることができる。１実施形態では、投影装置はさらに、投影ランプが点火されたか否かを感知するように構成されているランプ点火検出回路と、このランプ点火検出回路に結合されたランプ故障インジケータとを含むことができる。１実施形態では、点火装置検出回路はランプ故障インジケータが付勢されるならば、点火装置故障インジケータのみを付勢するように構成されることができる。別の実施形態では、点火装置検出回路はランプ故障インジケータが付勢された後、ランプ点火装置回路の動作を感知するように構成されることができる。投影装置は情報処理システムから受信された信号に基づいて情報を表示するように構成されることができる。
【発明を実施するための最良の形態】
【００１０】
図１は開示された方法およびシステムの１つの例示的な実施形態においてプロジェクタの故障を診断するために実行されることのできる方法論を示すフロー図である。プロジェクタはステップ110でオンに切換えられ、点火回路はステップ112で投影ランプ（例えば水銀灯）を点灯しようとする。ランプ点火検出回路は例えばランプ電流の感知により、投影ランプがステップ114で適切に点火に成功したか否かを決定する。投影ランプが点火されているならば、プロジェクタはステップ116に示されているようにオンの付勢が成功している。しかしながら、投影ランプがステップ114で点火に成功していないことが決定されたならば、１以上の付加的な試行（例えば全部で４回の試行）が行われてステップ118からステップ112への随意選択的な帰還フロー路119により示されているように投影ランプの点火が試みられることができる。投影ランプがこれらの付加的な試行のどれかの１つの試行期間に点火したならば、プロジェクタはステップ116で示されているようにオンに付勢される。投影ランプを点火するための特定された数の１以上の試行が成功しなかった場合には、ランプ故障インジケータ（例えば第１のＬＥＤ灯または３状態のＬＥＤ灯の第１の状態）がステップ120で付勢されることができる。
【００１１】
図１の参照を続けると、点火装置回路（バラスト回路）電圧は１つの例示的な実施形態では例えば電圧検出器によりステップ122で監視されることができる。点火装置回路により与えられる点火装置電圧が特定された電圧（例えば適切に投影ランプを点火するために必要な電圧）よりも小さいならば、点火装置故障インジケータ（例えば第２のＬＥＤ灯または３状態のＬＥＤ灯の第２の状態）がステップ124で付勢され、プロジェクタのパワーはステップ126で（例えばプロジェクタのオペレータにより自動的にまたは手動で）随意選択的にオフにされることができる。この時点で、ランプ故障インジケータと点火装置故障インジケータの両者が付勢され、故障が点火回路で生じており、プロジェクタの修理が必要であることを示す。
【００１２】
しかしながら、ステップ122で、点火装置電圧が特定された電圧に等しいか大きいことが発見されたならば、点火装置故障インジケータは付勢されず、プロジェクタパワーはステップ126で（例えば自動停止回路によって自動的にまたはプロジェクタのオペレータにより手動で）随意選択的にオフにされる。この時点で、ランプ故障インジケータだけが付勢され、投影ランプが故障し、または欠陥があり、交換が必要であることを示す。
【００１３】
図２は点火の試行がさらに行われることを防止するため（例えば破線150により輪郭を示されているように図１のステップ122から124の動作に加えて）点火装置回路が随意選択的に停止される随意選択的な実施形態を示している。この実施形態では、点火回路電圧は前述したような方法でステップ122で監視されることができる。点火装置回路により与えられる点火装置電圧が特定された電圧よりも小さく、点火装置の故障インジケータがステップ124で付勢されるならば、点火装置回路は図２のステップ125により示されているようにさらに点火の試行が行われることを防止するために停止される。
【００１４】
図１はステップ122から126の方法論がステップ110から120の方法論にしたがっている１つの例示的な実施形態を示している。これに関連して、別の実施形態では、ステップ122から126の方法論がステップ110から120の方法論に対して別々に、同時におよび／または独立して実行されることができ、ステップ110から120が存在する必要がないことが理解されよう。ランプ故障インジケータおよび／または点火装置故障インジケータが別々のインジケータ灯以外のインジケータ機構の適切な形態を使用して、例えばそれぞれランプ故障または点火装置回路の故障を示すためにそれぞれ異なる色を表示できる多状態ＬＥＤのような単一の多状態インジケータを使用して構成されることができることも理解されるであろう。さらに点火装置回路の動作を感知するための１つの実施形態をここで示しており、それにおいては別々のインジケータ回路が投影ランプへの点火電圧を感知することにより投影ランプへの入力を監視するために使用されているが、点火回路の適切な動作を感知するのに適している任意の他の方法および／または構成の１以上の回路が使用されてもよいことが理解されよう。
【００１５】
図３は例えば図１および／または図２の方法を実行するための開示された方法およびシステムの１つの例示的な実施形態にしたがって構成された投影装置300の簡単なブロック図である。図３に示されているように、投影装置300はイメージソース301、例えばさらに以下説明するように情報処理システムからイメージ信号315を受信するように結合されている。示されている例示的な実施形態では、投影装置300はランプ電源接続部309により例えば水銀灯である投影ランプ302へ結合されているランプ点火回路303を含んでいる。
【００１６】
図３の例示的な実施形態では、点火装置検出回路304は例えばランプ点火装置回路303によってランプ電源接続部309を介して投影ランプ302へ与えられるランプ点火装置電圧を測定することによりランプ点火装置回路303の動作を感知するように構成されている。点火装置故障インジケータ307（ＬＥＤ灯またはその他の適切なインジケータ）が示されており、これはランプ点火装置回路303の故障を検出したときに点火装置停止回路304により与えられる点火装置故障信号313を受信したときランプ点火装置回路の故障の指示を表示するように結合されている。随意選択的な点火装置停止回路310も示されており、これは点火装置故障信号308を受信し、続いてランプ点火装置回路303を停止するための点火装置停止信号312を提供するために設けられている。これに関連して、点火装置故障信号は示されているように別々の信号308であってもよく、或いは信号313と同一の信号であってもよいことが理解されるであろう。
【００１７】
図３の参照を続けると、随意選択的なランプ点火検出回路305が設けられることができ、これはランプ点火装置回路303によってランプ電源接続部309を介して投影ランプ302へ与えられる電流を測定することにより点火装置のランプ302が点火されたか否かを感知するように構成されている。ランプ故障インジケータ306（例えばＬＥＤ灯または他の適切なインジケータ）が示されている。これはランプ点火検出回路305からランプ故障信号311を受信したとき投影ランプの故障の指示を表示するために結合されている。
【００１８】
開示された方法およびシステムは実際には、点火装置検出回路304、随意選択的なランプ点火検出回路305、および／または随意選択的な点火装置停止回路310は１以上の回路の任意の適切な構造を使用して構成されることができる。例えば１実施形態では、回路304、305、310の１以上のものはプロジェクタ300に集積された制御装置（例えばマイクロプロセッサおよび関連するファームウェア）を使用して、または投影装置回路／コンポーネントとインターフェースするマイクロプロセッサ、ファームウェアおよび／またはソフトウェアの任意の他の適切な組合せを使用して構成されることができる。ディスクリートな回路装置が使用されてもよく、例えば点火装置検出回路304は比較回路または他の適切なディスクリートな回路構造を使用して構成されることができる。
【００１９】
説明した方法およびシステムは例えばテーブルトッププロジェクタ、投影テレビジョン等の１以上の投影ランプを使用する任意のタイプの投影装置で実行されることができる。１つの例示的な実施形態では、説明した方法およびシステムは情報処理システムから受信された信号に基づいてイメージを表示するように構成された投影装置により実行されることができる。この開示の目的に対して、情報処理システムにはビジネス、科学、制御またはその他の目的に対して任意の形態の情報、インテリジェンスまたはデータを計算し、分類し、処理し、送信し、受信し、検索し、発信し、切換え、記憶し、表示し、マニフェストし、検出し、記録し、再生し、管理し、または利用するように動作可能な任意の機器または機器の集合体が含まれることができる。例えば、情報処理システムはパーソナルコンピュータ、ネットワーク記憶装置または任意の他の適当な装置であってもよく、サイズ、形状、性能、機能、価格が変化していてもよい。情報処理システムにはランダムアクセスメモリ（ＲＡＭ）、中央処理装置（ＣＰＵ）またはハードウェア或いはソフトウェア制御論理装置のような１以上の処理リソース、ＲＯＭおよび／またはその他のタイプの不揮発性メモリが含まれることができる。情報処理システムの付加的なコンポーネントには１以上のディスクドライブ、外部装置と通信するための１以上のネットワークポート、キーボード、マウス、ビデオディスプレイのような種々の入力および出力（Ｉ／Ｏ）装置が含まれることができる。情報処理システムはまた種々のハードウェアコンポーネント間の通信を送信するように動作可能な１以上のバスを含むことができる。
【００２０】
本発明は種々の変形および別の形態に対して適合可能であるが、特別な実施形態を例示によりここで示し説明した。しかしながら、本発明はここで説明した特定の形態に限定されることを意図するものではないことが理解されるべきである。むしろ本発明は特許請求の範囲に記載された本発明の技術的範囲内に含まれる全ての変形、等価物、代替物をカバーしている。さらに、ここで説明した方法およびシステムの異なる特徴は種々の組合せでおよび／または独立して使用されることができる。したがって本発明はここで示されている組合せのみに限定されるものではなく、他の組合わせを含むことができる。
【図面の簡単な説明】
【００２１】
【図１】開示された方法およびシステムの１実施形態にしたがった方法論を示すフロー図。
【図２】開示された方法およびシステムの別の実施形態にしたがった方法論を示すフロー図。
【図３】開示された方法およびシステムの１実施形態にしたがった投影装置の簡単にされたブロック図。
【図１】
2006058880.tif 000003
【図２】
2006058880.tif 000004
【図３】
2006058880.tif 000005
【外国語明細書】
2006058880000001.pdf